【手続補正書】
【提出日】平成25年12月13日(2013.12.13)
【手続補正１】
【補正対象書類名】明細書
【補正対象項目名】０００６
【補正方法】変更
【補正の内容】
【０００６】
上記課題を解決するため、請求項１に記載の発明の画像出力装置は、
位置情報が関連付けられた画像を記録する記録手段と、移動体の移動量を示す移動情報を取得する移動情報取得手段と、前記移動情報取得手段により取得された前記移動情報に基づく範囲を特定範囲とする範囲特定情報を生成する生成手段と、この生成手段により生成された範囲特定情報と前記記録手段に記録された画像に関連付けられた位置情報とに基づいて、前記記録手段に記録されている画像を出力するか否かを判断する判断手段と、この判断手段によって出力すると判断された画像を出力する制御手段と、を備えたことを特徴としている。
【手続補正２】
【補正対象書類名】明細書
【補正対象項目名】０００７
【補正方法】変更
【補正の内容】
【０００７】
請求項２に記載の発明は、請求項１に記載の画像出力装置において、
前記移動情報取得手段により取得された前記移動情報から距離を算出する算出手段を更に備え、前記生成手段は、所定位置を基準とし前記算出手段によって算出された距離に基づく範囲を特定範囲とする前記範囲特定情報を生成することを特徴としている。
請求項３に記載の発明は、請求項１又は２に記載の画像出力装置において、
前記判断手段は、前記記録手段に記録された画像に関連付けられた位置情報が、前記生成手段により生成された範囲特定情報の範囲内に存在する画像を出力すると判断することを特徴としている。
請求項４に記載の発明は、請求項１〜３の何れか一項に記載の画像出力装置において、
当該装置本体の存する位置に係る位置情報を取得する位置取得手段を更に備え、前記生成手段は、前記位置取得手段により取得された位置情報に基づいて、当該装置本体の存する位置を前記所定位置として前記範囲特定情報を生成することを特徴としている。
【手続補正３】
【補正対象書類名】明細書
【補正対象項目名】０００８
【補正方法】変更
【補正の内容】
【０００８】
請求項５に記載の発明は、請求項１〜４の何れか一項に記載の画像出力装置において、
前記生成手段は、前記移動情報取得手段により取得された移動情報が複数ある場合には、これらの移動情報による算出結果を積算した距離に基づいて、前記範囲特定情報を生成することを特徴としている。
【手続補正４】
【補正対象書類名】明細書
【補正対象項目名】０００９
【補正方法】変更
【補正の内容】
【０００９】
請求項６に記載の発明は、請求項１〜５の何れか一項に記載の画像出力装置において、
前記画像に関連付けられた位置情報は、当該画像が撮像された位置に係る情報であることを特徴としている。
【手続補正５】
【補正対象書類名】明細書
【補正対象項目名】００１０
【補正方法】変更
【補正の内容】
【００１０】
請求項７に記載の発明は、請求項１〜６の何れか一項に記載の画像出力装置において、
前記移動情報取得手段は、前記移動体の移動量を検出する所定の外部機器から前記移動体の移動量を示す移動情報を取得することを特徴としている。
【手続補正６】
【補正対象書類名】明細書
【補正対象項目名】００１１
【補正方法】変更
【補正の内容】
【００１１】
請求項８に記載の発明は、請求項１〜６の何れか一項に記載の画像出力装置において、
当該装置本体の移動量を検出する移動量検出手段を更に備え、前記移動情報取得手段は、当該装置本体の移動を示す情報を取得することを特徴としている。
【手続補正７】
【補正対象書類名】明細書
【補正対象項目名】００１２
【補正方法】変更
【補正の内容】
【００１２】
請求項９に記載の発明は、請求項１〜８の何れか一項に記載の画像出力装置において、
前記生成手段により生成された範囲特定情報に基づいて、位置情報が関連付けられた画像を外部から取得する画像取得手段を更に備え、前記制御手段は、前記画像取得手段によって取得された前記出力画像を出力することを特徴としている。
【手続補正８】
【補正対象書類名】明細書
【補正対象項目名】００１３
【補正方法】変更
【補正の内容】
【００１３】
請求項１０に記載の発明の画像出力方法は、
位置情報が関連付けられた画像を記録する記録手段を備える画像出力装置を用いた画像出力方法であって、移動体の移動量を示す移動情報を取得する移動情報取得処理と、取得された前記移動情報に基づく範囲を特定範囲とする範囲特定情報を生成する生成処理と、生成された範囲特定情報と前記記録手段に記録された画像に関連付けられた位置情報とに基づいて、前記記録手段に記録されている画像を出力するか否かを判断する判断処理と、出力すると判断された画像を出力する制御処理と、を含むことを特徴としている。
【手続補正９】
【補正対象書類名】明細書
【補正対象項目名】００１４
【補正方法】変更
【補正の内容】
【００１４】
請求項１１に記載の発明のプログラムは、
位置情報が関連付けられた画像を記録する記録手段を備える画像出力装置のコンピュータを、移動体の移動量を示す移動情報を取得する移動情報取得手段、この移動情報取得手段により取得された前記移動情報から距離を算出する算出手段、前記移動情報取得手段により取得された前記移動情報に基づく範囲を特定範囲とする範囲特定情報を生成する生成手段、この生成手段により生成された範囲特定情報と前記記録手段に記録された画像に関連付けられた位置情報とに基づいて、前記記録手段に記録されている画像を出力するか否かを判断する判断手段、この判断手段によって出力すると判断された画像を出力する制御手段、として機能させることを特徴としている。
【手続補正１０】
【補正対象書類名】特許請求の範囲
【補正対象項目名】全文
【補正方法】変更
【補正の内容】
【特許請求の範囲】
【請求項１】
位置情報が関連付けられた画像を記録する記録手段と、
移動体の移動量を示す移動情報を取得する移動情報取得手段と、
前記移動情報取得手段により取得された前記移動情報に基づく範囲を特定範囲とする範囲特定情報を生成する生成手段と、
この生成手段により生成された範囲特定情報と前記記録手段に記録された画像に関連付けられた位置情報とに基づいて、前記記録手段に記録されている画像を出力するか否かを判断する判断手段と、
この判断手段によって出力すると判断された画像を出力する制御手段と、
を備えたことを特徴とする画像出力装置。
【請求項２】
前記移動情報取得手段により取得された前記移動情報から距離を算出する算出手段を更に備え、
前記生成手段は、所定位置を基準とし前記算出手段によって算出された距離に基づく範囲を特定範囲とする前記範囲特定情報を生成することを特徴とする請求項１に記載の画像出力装置。
【請求項３】
前記判断手段は、前記記録手段に記録された画像に関連付けられた位置情報が、前記生成手段により生成された範囲特定情報の範囲内に存在する画像を出力すると判断することを特徴とする請求項１又は２に記載の画像出力装置。
【請求項４】
当該装置本体の存する位置に係る位置情報を取得する位置取得手段を更に備え、
前記生成手段は、前記位置取得手段により取得された位置情報に基づいて、当該装置本体の存する位置を前記所定位置として前記範囲特定情報を生成することを特徴とする請求項１〜３の何れか一項に記載の画像出力装置。
【請求項５】
前記生成手段は、前記移動情報取得手段により取得された移動情報が複数ある場合には、これらの移動情報による算出結果を積算した距離に基づいて、前記範囲特定情報を生成することを特徴とする請求項１〜４の何れか一項に記載の画像出力装置。
【請求項６】
前記画像に関連付けられた位置情報は、当該画像が撮像された位置に係る情報であることを特徴とする請求項１〜５の何れか一項に記載の画像出力装置。
【請求項７】
前記移動情報取得手段は、前記移動体の移動量を検出する所定の外部機器から前記移動体の移動量を示す移動情報を取得することを特徴とする請求項１〜６の何れか一項に記載の画像出力装置。
【請求項８】
当該装置本体の移動量を検出する移動量検出手段を更に備え、
前記移動情報取得手段は、当該装置本体の移動を示す情報を取得することを特徴とする請求項１〜６の何れか一項に記載の画像出力装置。
【請求項９】
前記生成手段により生成された範囲特定情報に基づいて、位置情報が関連付けられた画像を外部から取得する画像取得手段を更に備え、
前記制御手段は、前記画像取得手段によって取得された前記出力画像を出力することを特徴とする請求項１〜８の何れか一項に記載の画像出力装置。
【請求項１０】
位置情報が関連付けられた画像を記録する記録手段を備える画像出力装置を用いた画像出力方法であって、
移動体の移動量を示す移動情報を取得する移動情報取得処理と、
取得された前記移動情報に基づく範囲を特定範囲とする範囲特定情報を生成する生成処理と、
生成された範囲特定情報と前記記録手段に記録された画像に関連付けられた位置情報とに基づいて、前記記録手段に記録されている画像を出力するか否かを判断する判断処理と、
出力すると判断された画像を出力する制御処理と、
を含むことを特徴とする画像出力方法。
【請求項１１】
位置情報が関連付けられた画像を記録する記録手段を備える画像出力装置のコンピュータを、
移動体の移動量を示す移動情報を取得する移動情報取得手段、
この移動情報取得手段により取得された前記移動情報から距離を算出する算出手段、
前記移動情報取得手段により取得された前記移動情報に基づく範囲を特定範囲とする範囲特定情報を生成する生成手段、
この生成手段により生成された範囲特定情報と前記記録手段に記録された画像に関連付けられた位置情報とに基づいて、前記記録手段に記録されている画像を出力するか否かを判断する判断手段、
この判断手段によって出力すると判断された画像を出力する制御手段、
として機能させることを特徴とするプログラム。